(57)【要約】【課題】睡眠空間（11）において就寝状態にある空調対象者（100）の「頭寒足熱」を保持しつつ、空調対象者（100）の体温変化がＶ字型となるように空気温度を制御する。【解決手段】頭側空調ユニット（13）および脚側空調ユニット（14）を備えた睡眠カプセル（10）において、脚側調和空気（71W）の温度が頭側調和空気（61W）の温度より高くなるように保つことにより、就寝状態にある空調対象者（100）の「頭寒足熱」を保つ。さらに、空調対象者（100）の睡眠深度に基づいて両調和空気（71W,61W）の設定温度を制御し、該空調対象者（100）の体温変化がＶ字型となるよう誘導する。【選択図】図５
2006258314.tif 000002
【特許請求の範囲】
【請求項１】
睡眠空間（11）における空調対象者（100）の就寝状態の頭側空間の空気温度が脚側空間の空気温度より低くなるように上記睡眠空間（11）を空気調和する空調手段（30F,30R）と、
上記空調対象者（100）の睡眠時における体温変化に基づいて頭側空間及び脚側空間の少なくとも何れか一方の空気温度が変化するように上記空調手段（30F,30R）を制御する制御手段（12）を備えている
ことを特徴とする睡眠環境制御システム。
【請求項２】
睡眠空間（11）における空調対象者（100）の就寝状態の頭側空間の空気温度が脚側空間の空気温度より低くなるように上記睡眠空間（11）を空気調和する空調手段（30F,30R）と、
上記空調対象者（100）の睡眠時における睡眠深度の周期に基づいて頭側空間及び脚側空間の少なくとも何れか一方の空気温度が変化するように上記空調手段（30F,30R）を制御する制御手段（12）を備えている
ことを特徴とする睡眠環境制御システム。
【請求項３】
睡眠空間（11）における空調対象者（100）の就寝状態の頭側空間の空気温度が脚側空間の空気温度より低くなる所定の設定温度に上記睡眠空間（11）を空気調和する空調手段（30F,30R）と、
上記空調対象者（100）の就寝時において、頭側空間及び脚側空間の少なくとも何れか一方の空気温度が、睡眠途中の所定の基準時の経過前に低下する一方、上記基準時の経過後に上昇するように上記空調手段（30F,30R）の設定温度を制御する制御手段（12）を備えている
ことを特徴とする睡眠環境制御システム。
【請求項４】
請求項３において、
上記制御手段（12）は、空調対象者（100）の入眠時から基準時まで上記設定温度を所定の低温度に漸次低下させるように構成されている
ことを特徴する睡眠環境制御システム。
【請求項５】
請求項３において、
上記制御手段（12）は、空調対象者（100）の睡眠初期が経過するまで上記設定温度を入眠時前の状態に維持し、上記睡眠初期の経過後から基準時まで上記設定温度を所定の低温度に漸次低下させるように構成されている
ことを特徴する睡眠環境制御システム。
【請求項６】
請求項３において、
上記制御手段（12）は、空調対象者（100）の睡眠初期が経過するまで上記設定温度を入眠時前の状態に維持し、基準時前の上記睡眠初期の経過時に上記設定温度を所定の低温度に低下させるように構成されている
ことを特徴する睡眠環境制御システム。
【請求項７】
請求項４〜６の何れか１項において、
上記制御手段（12）は、基準時以後から空調対象者（100）の起床予定時まで上記設定温度を低温度から漸次上昇させるように構成されている
ことを特徴する睡眠環境制御システム。
【請求項８】
請求項４〜６の何れか１項において、
上記制御手段（12）は、基準時以後で且つ空調対象者（100）の起床予定時前の所定時間に上記設定温度を低温度から上昇させるように構成されている
ことを特徴する睡眠環境制御システム。
【請求項９】
請求項７又は８において、
上記制御手段（12）は、空調対象者（100）の起床予定時から上記設定温度を漸次上昇させるように構成されている
ことを特徴する睡眠環境制御システム。
【請求項１０】
請求項７又は８において、
上記制御手段（12）は、空調対象者（100）の起床予定時に上記設定温度を上昇させるように構成されている
ことを特徴する睡眠環境制御システム。
【請求項１１】
睡眠空間（11）における空調対象者（100）の就寝状態の頭側空間の空気温度が脚側空間の空気温度より低くなる所定の設定温度に上記睡眠空間（11）を空気調和する空調手段（30F,30R）と、
上記空調対象者（100）の就寝時において、頭側空間及び脚側空間の少なくとも何れか一方の空気温度が、睡眠途中の所定の基準時の経過後に上昇するように上記空調手段（30F,30R）の設定温度を制御する制御手段（12）を備えている
ことを特徴とする睡眠環境システム。
【請求項１２】
請求項１１において、
上記制御手段（12）は、基準時以後から空調対象者（100）の起床予定時まで上記設定温度を漸次上昇させるように構成されている
ことを特徴する睡眠環境制御システム。
【請求項１３】
請求項１１において、
上記制御手段（12）は、基準時以後で且つ空調対象者（100）の起床予定時前の所定時間に上記設定温度を上昇させるように構成されている
ことを特徴する睡眠環境制御システム。
【請求項１４】
請求項１２又は１３において、
上記制御手段（12）は、空調対象者（100）の起床予定時から上記設定温度を漸次上昇させるように構成されている
ことを特徴する睡眠環境制御システム。
【請求項１５】
請求項１２又は１３において、
上記制御手段（12）は、空調対象者（100）の起床予定時に上記設定温度を上昇させるように構成されている
ことを特徴する睡眠環境制御システム。
【請求項１６】
請求項１〜３及び１１の何れか１項において、
上記睡眠空間（11）は、睡眠カプセル本体（20）の内部空間で構成されている
ことを特徴とする睡眠環境制御システム。
【発明の詳細な説明】
【技術分野】
【０００１】
本発明は、睡眠環境制御システム関し、特に、睡眠空間における空調対策に係るものである。
【背景技術】
【０００２】
従来より、睡眠空間において、就寝状態にある空調対象者の快適性の向上を図り、人体の頭側で最も低く、脚側にいくに従って漸次高くなる、いわゆる「頭寒足熱」という部位別な快適性に適した空調制御方法の検討がされている（例えば、特許文献１参照）。
【０００３】
上記特許文献１の睡眠カプセルは、頭側と脚側のそれぞれに、調和空気を供給する吹出口と室内空気を吸い込む吸入口を備えた頭側流出入部と脚側流出入部を設けている。そして、脚側流出入部から供給される調和空気の温度が頭側流出入部から供給される調和空気の温度より高くなるように空調制御されている。これにより、人体の部位別な快適性に適した「頭寒足熱」の温度分布が形成され、就寝状態にある空調対象者の快適性を向上させるようにしている。
【特許文献１】特開２００３−２３２５３７号公報
【発明の開示】
【発明が解決しようとする課題】
【０００４】
しかしながら、上述した従来の睡眠カプセルでは、就寝状態にある空調対象者の部位別の快適性に適した「頭寒足熱」の空調制御はなされていたが、常に所定の一定温度に保持するようにしていたために、空調対象者の体温変化に適した空調制御はなされていなかった。そのため、空調対象者の体温変化が何らかの原因で乱れている場合においては、空調対象者は深い睡眠と快適な目覚めを得られにくいという問題点があった。
【０００５】
本発明は、斯かる点に鑑みてなされたものであり、その目的とするところは、睡眠空間において就寝状態にある空調対象者の「頭寒足熱」を保持しつつ、睡眠時における空調対象者の体温変化に対応した空調となる睡眠環境制御システムを提供することである。
【課題を解決するための手段】
【０００６】
本発明は、空調対象者の体温変化に基づいて空気温度を変化させるようにしたものである。つまり、人体の睡眠時における体温は、入眠時から睡眠中期までは低下し、起床時前の所定時間から上昇するという、いわゆるＶ字型に変化する。これは、入眠時から睡眠中期までは、昼間の活動によりヒートアップした脳をクールダウンさせて休息させるため体温が低下し、起床時の前からは快適な目覚めを得るのに適した体温へと上昇するためである。そして、この睡眠後の体温の低下度合が大きいほど、脳が十分にクールダウンしているので、眠りが深く、疲労回復の効果も増大する。
【０００７】
そこで、就寝状態にある空調対象者の体温変化と空気温度変化とを検討すると図１３に示すようになる。図１３（ａ）は睡眠室内の温度の変化を示し、図１３（ｂ）は就寝状態にある空調対象者の直腸温の変化を示している。この図１３に示されるように、人間は恒温動物であるが、睡眠時の体温については環境温度に影響を受けやすく、図１３（ａ）の１７０に示すように睡眠室内の環境温度が一定であれば、図１３（ｂ）の１８０に示すように空調対象者の体温は平滑な温度変化となる。しかし、図１３（ａ）の１７１に示すように睡眠室内の環境温度をＶ字型になるように制御すると、図１３（ｂ）の１８１に示すように空調対象者の体温もＶ字型変化に導くことが可能となる。この結果、空調対象者の睡眠時の快適性が向上する。
【０００８】
そこで、具体的に第１の発明は、睡眠空間（11）における空調対象者（100）の就寝状態の頭側空間の空気温度が脚側空間の空気温度より低くなるように上記睡眠空間（11）を空気調和する空調手段（30F,30R）と、上記空調対象者（100）の睡眠時における体温変化に基づいて頭側空間及び脚側空間の少なくとも何れか一方の空気温度が変化するように上記空調手段（30F,30R）を制御する制御手段を備えている。
【０００９】
この第１の発明では、睡眠空間（11）において空調対象者（100）の就寝状態の頭側空間の空気温度が脚側空間の空気温度より低くなるように制御するので、人体の部位別な快適性に適した「頭寒足熱」が形成され、空調対象者（100）は快適な睡眠へと誘導される。そして、空調対象者（100）の睡眠時における体温変化に基づいて上記空調手段（30F,30R）を制御するので、頭側空間及び脚側空間の少なくとも何れか一方は空調対象者（100）の睡眠時の体温変化に適した温度となり、該空調対象者（100）は深い睡眠と快適な目覚めを得ることができる。
【００１０】
第２の発明は、睡眠空間（11）における空調対象者（100）の就寝状態の頭側空間の空気温度が脚側空間の空気温度より低くなるように上記睡眠空間（11）を空気調和する空調手段（30F,30R）と、上記空調対象者（100）の睡眠時における睡眠深度の周期に基づいて頭側空間及び脚側空間の少なくとも何れか一方の空気温度が変化するように上記空調手段（30F,30R）を制御する制御手段（12）を備えている。
【００１１】
この第２の発明では、睡眠空間（11）において空調対象者（100）の就寝状態の頭側空間の空気温度が脚側空間の空気温度より低くなるように制御するので、人体の部位別な快適性に適した「頭寒足熱」が形成され、空調対象者（100）は快適な睡眠へと誘導される。そして、空調対象者（100）の睡眠時における睡眠深度の周期に基づいて上記空調手段（30F,30R）を制御するので、頭側空間及び脚側空間の少なくとも何れか一方は空調対象者（100）の睡眠深度に適した温度となり、該空調対象者（100）は深い睡眠と快適な目覚めを得ることができる。
【００１２】
第３の発明は、睡眠空間（11）における空調対象者（100）の就寝状態の頭側空間の空気温度が脚側空間の空気温度より低くなる所定の設定温度に上記睡眠空間（11）を空気調和する空調手段（30F,30R）と、上記空調対象者（100）の就寝時において、頭側空間及び脚側空間の少なくとも何れか一方の空気温度が、睡眠途中の所定の基準時の経過前に低下する一方、上記基準時の経過後に上昇するように上記空調手段（30F,30R）の設定温度を制御する制御手段（12）を備えている。
【００１３】
この第３の発明では、睡眠空間（11）において空調対象者（100）の就寝状態の頭側空間の空気温度が脚側空間の空気温度より低くなる所定の設定温度に制御するので、人体の部位別な快適性に適した「頭寒足熱」が形成され、空調対象者（100）は快適な睡眠へと誘導される。そして、頭側空間及び脚側空間の少なくとも何れか一方の空気温度が、睡眠途中の所定の基準時の経過前に低下するので、空調対象者（100）の体温が入眠時から上記基準時において低下するように誘導することができる。また、頭側空間及び脚側空間の少なくとも何れか一方の空気温度が上記基準時以降に上昇するため、空調対象者（100）の体温も上昇させることができる。これにより、就寝状態にある空調対象者（100）は深い眠りと快適な目覚めを得ることができる。
【００１４】
第４の発明は、第３の発明において、上記制御手段（12）は、空調対象者（100）の入眠時から基準時まで上記設定温度を所定の低温度に漸次低下させるように構成されている。
【００１５】
この第４の発明では、空調対象者（100）の入眠時から上記基準時まで頭側空間及び脚側空間の少なくとも何れか一方の空気温度が漸次低下するので、空調対象者（100）の体温は環境温度の変化による体への負担が少ない状態で低下し、該空調対象者（100）は深い睡眠を得ることができる。
【００１６】
第５の発明は、第３の発明において、上記制御手段（12）は、空調対象者（100）の睡眠初期が経過するまで上記設定温度を入眠時前の状態に維持し、上記睡眠初期の経過後から基準時まで上記設定温度を所定の低温度に漸次低下させるように構成されている。
【００１７】
この第５の発明では、空調対象者（100）の睡眠初期が経過するまでは一定温度での「頭寒足熱」が維持されるので、空調対象者（100）は安眠状態へと導かれる。さらに、上記睡眠初期の経過後から上記基準時まで頭側空間及び脚側空間の少なくとも何れか一方の空気温度が漸次低下するので、空調対象者（100）の体温は環境温度の変化による体への負担が少ない状態で低下し、該空調対象者（100）は深い睡眠を得ることができる。
【００１８】
第６の発明は、第３の発明において、上記制御手段（12）は、空調対象者（100）の睡眠初期が経過するまで上記設定温度を入眠前の状態に維持し、基準時前の上記睡眠初期の経過時に上記設定温度を所定の低温度に低下させるように構成されている。
【００１９】
この第６の発明では、空調対象者（100）の睡眠初期が経過するまでは一定温度での「頭寒足熱」が維持されるので、空調対象者（100）は安眠状態へと導かれる。そして、上記基準時前の睡眠初期の経過時に上記設定温度を所定の低温度に低下させるので、容易な制御方法で頭側空間及び脚側空間の少なくとも何れか一方の空気温度を低下させることができ、これにより空調対象者（100）の体温は低下し、該空調対象者（100）は深い睡眠を得ることができる。
【００２０】
第７の発明は、第４〜６の発明の何れかにおいて、上記制御手段（12）は、基準時以後から空調対象者（100）の起床予定時まで上記設定温度を低温度から漸次上昇させるように構成されている。
【００２１】
この第７の発明では、上記基準時以後から空調対象者（100）の起床予定時まで頭側空間及び脚側空間の少なくとも何れか一方の空気温度が漸次上昇するので、空調対象者（100）の体温は環境温度の変化による体への負担が少ない状態で上昇し、該空調対象者（100）は快適な目覚めを得ることができる。
【００２２】
第８の発明は、第４〜６の発明の何れかにおいて、上記制御手段（12）は、基準時以後で且つ空調対象者（100）の起床予定時前の所定時間に上記設定温度を低温度から上昇させるように構成されている。
【００２３】
この第８の発明では、上記基準時以後で且つ空調対象者（100）の起床予定時前の所定時間に上記設定温度を低温度から上昇させるので、容易な制御方法で頭側空間及び脚側空間の少なくとも何れか一方の空気温度を上昇させることができ、これにより空調対象者（100）の体温は上昇し、該空調対象者（100）は快適な目覚めを得ることができる。
【００２４】
第９の発明は、第７又は第８の発明において、上記制御手段（12）は、空調対象者（100）の起床予定時から上記設定温度を漸次上昇させるように構成されている。
【００２５】
この第９の発明では、空調対象者（100）の起床予定時以降も頭側空間及び脚側空間の少なくとも何れか一方の空気温度が漸次上昇するので、仮に空調対象者（100）が起床予定時に目覚めない場合や快適な目覚めを得られない場合でも、空調対象者（100）の体温は環境温度の変化による体への負担が少ない状態でさらに上昇し、該空調対象者（100）は快適な目覚めを得ることができる。
【００２６】
第１０の発明は、第７又は第８の発明において、上記制御手段（12）は、空調対象者（100）の起床予定時に上記設定温度を上昇させるように構成されている。
【００２７】
この第１０の発明では、空調対象者（100）の起床予定時に上記設定温度を上昇させるので、容易な制御方法で頭側空間及び脚側空間の少なくとも何れか一方の空気温度を上昇させることができ、これにより仮に空調対象者（100）が起床予定時に目覚めない場合や快適な目覚めを得られない場合でも、空調対象者（100）の体温は上昇し、該空調対象者（100）は快適な目覚めを得ることができる。
【００２８】
第１１の発明は、睡眠空間（11）における空調対象者（100）の就寝状態の頭側空間の空気温度が脚側空間の空気温度より低くなる所定の設定温度に上記睡眠空間（11）を空気調和する空調手段（30F,30R）と、上記空調対象者（100）の就寝時において、頭側空間及び脚側空間の少なくとも何れか一方の空気温度が、睡眠途中の所定の基準時の経過後に上昇するように上記空調手段（30F,30R）の設定温度を制御する制御手段（12）を備えている。
【００２９】
この第１１の発明では、睡眠空間（11）において空調対象者（100）の就寝状態の頭側空間の空気温度が脚側空間の空気温度より低くなる所定の設定温度に制御するので、人体の部位別な至適温度に適した「頭寒足熱」が形成され、空調対象者（100）は快適な睡眠を得ることができる。そして、頭側空間及び脚側空間の少なくとも何れか一方の空気温度が、上記基準時の経過後に上昇するように上記空調手段（30F,30R）の設定温度を制御するので、空調対象者（100）の体温は上昇し、睡眠状態にある空調対象者（100）を覚醒状態に誘導することができる。
【００３０】
第１２の発明は、第１１の発明において、上記制御手段（12）は、基準時以後から空調対象者（100）の起床予定時まで上記設定温度を漸次上昇させるように構成されている。
【００３１】
この第１２の発明では、上記基準時以後から空調対象者（100）の起床予定時まで頭側空間及び脚側空間の少なくとも何れか一方の空気温度が漸次上昇するので、空調対象者（100）の体温は環境温度の変化による体への負担が少ない状態で上昇し、該空調対象者（100）は快適な目覚めを得ることができる。
【００３２】
第１３の発明は、第１１の発明において、上記制御手段（12）は、基準時以後で且つ空調対象者（100）の起床予定時前の所定時間に上記設定温度を上昇させるように構成されている。
【００３３】
この第１３の発明では、上記基準時以後で且つ空調対象者（100）の起床予定時前の所定時間に上記設定温度を低温度から上昇させるので、容易な制御方法で頭側空間及び脚側空間の少なくとも何れか一方の空気温度を上昇させることができ、これにより空調対象者（100）の体温は上昇し、該空調対象者（100）は快適な目覚めを得ることができる。
【００３４】
第１４の発明は、第１２または第１３の発明において、上記制御手段（12）は、空調対象者（100）の起床予定時から上記設定温度を漸次上昇させるように構成されている。
【００３５】
この第１４の発明では、空調対象者（100）の起床予定時以降も頭側空間及び脚側空間の少なくとも何れか一方の空気温度が漸次上昇するので、仮に空調対象者（100）が起床予定時に目覚めない場合や快適な目覚めを得られない場合でも、空調対象者（100）の体温は環境温度の変化による体への負担が少ない状態でさらに上昇し、空調対象者（100）は快適な目覚めを得ることができる。
【００３６】
第１５の発明は、第１２または第１３の発明において、上記制御手段（12）は、空調対象者（100）の起床予定時に上記設定温度を上昇させるように構成されている。
【００３７】
この第１５の発明では、空調対象者（100）の起床予定時に上記設定温度を上昇させるので、容易な制御方法で頭側空間及び脚側空間の少なくとも何れか一方の空気温度を上昇させることができ、これにより仮に空調対象者（100）が起床予定時に目覚めない場合や快適な目覚めを得られない場合でも、空調対象者（100）の体温は上昇し、該空調対象者（100）は快適な目覚めを得ることがができる。
【００３８】
第１６の発明は、第１〜３及び第１１の発明の何れかにおいて、上記睡眠空間（11）は、睡眠カプセル本体（20）の内部空間で構成されている。
【００３９】
この第１６の発明では、睡眠カプセル本体（20）の内部空間という限られたスペースにおいて環境温度の制御を行うので、制御が容易かつ正確に行うことができる。さらに、広いスペースの空調を制御する必要がないため省エネルギーにもつながる。
【発明の効果】
【００４０】
上記第１の発明によれば、睡眠空間（11）において空調対象者（100）の就寝状態の頭側空間の空気温度が脚側空間の空気温度より低くなるように制御するので、人体の部位別な快適性に適した「頭寒足熱」が形成され、空調対象者（100）は快適な睡眠へと誘導される。そして、空調対象者（100）の睡眠時における体温変化に基づいて上記空調手段（30F,30R）を制御するので、頭側空間及び脚側空間の少なくとも何れか一方は空調対象者（100）の睡眠時の体温変化に適した温度となり、該空調対象者（100）は深い睡眠と快適な目覚めを得ることができる。
【００４１】
また、上記第２の発明によれば、睡眠空間（11）において空調対象者（100）の就寝状態の頭側空間の空気温度が脚側空間の空気温度より低くなるように制御するので、人体の部位別な快適性に適した「頭寒足熱」が形成され、空調対象者（100）は快適な睡眠へと誘導される。そして、空調対象者（100）の睡眠時における睡眠深度の周期に基づいて上記空調手段（30F,30R）を制御するので、頭側空間及び脚側空間の少なくとも何れか一方は空調対象者（100）の睡眠深度に適した温度となり、該空調対象者（100）は深い睡眠と快適な目覚めを得ることができる。
【００４２】
また、上記第３の発明によれば、睡眠空間（11）において空調対象者（100）の就寝状態の頭側空間の空気温度が脚側空間の空気温度より低くなる所定の設定温度に制御するので、人体の部位別な快適性に適した「頭寒足熱」が形成され、空調対象者（100）は快適な睡眠へと誘導される。そして、頭側空間及び脚側空間の少なくとも何れか一方の空気温度が、睡眠途中の所定の基準時の経過前に低下するので、空調対象者（100）の体温が入眠時から上記基準時において低下するように誘導することができる。また、頭側空間及び脚側空間の少なくとも何れか一方の空気温度が上記基準時以降に上昇するため、空調対象者（100）の体温も上昇させることができる。これにより、就寝状態にある空調対象者（100）は深い眠りと快適な目覚めを得ることができる。
【００４３】
また、上記第４の発明によれば、空調対象者（100）の入眠時から上記基準時まで頭側空間及び脚側空間の少なくとも何れか一方の空気温度が漸次低下するので、空調対象者（100）の体温は環境温度の変化による体への負担が少ない状態で低下し、該空調対象者（100）は深い睡眠を得ることができる。
【００４４】
また、上記第５の発明によれば、空調対象者（100）の睡眠初期が経過するまでは一定温度での「頭寒足熱」が維持されるので、空調対象者（100）は安眠状態へと導かれる。さらに、上記睡眠初期の経過後から上記基準時まで頭側空間及び脚側空間の少なくとも何れか一方の空気温度が漸次低下するので、空調対象者（100）の体温は環境温度の変化による体への負担が少ない状態で低下し、該空調対象者（100）は深い睡眠を得ることができる。
【００４５】
また、上記第６の発明によれば、空調対象者（100）の睡眠初期が経過するまでは一定温度での「頭寒足熱」が維持されるので、空調対象者（100）は安眠状態へと導かれる。そして、上記基準時前の睡眠初期の経過時に上記設定温度を所定の低温度に低下させるので、容易な制御方法で頭側空間及び脚側空間の少なくとも何れか一方の空気温度を低下させることができ、これにより空調対象者（100）の体温は低下し、該空調対象者（100）は深い睡眠を得ることができる。
【００４６】
また、上記第７の発明によれば、上記基準時以後から空調対象者（100）の起床予定時まで頭側空間及び脚側空間の少なくとも何れか一方の空気温度が漸次上昇するので、空調対象者（100）の体温は環境温度の変化による体への負担が少ない状態で上昇し、該空調対象者（100）は快適な目覚めを得ることができる。
【００４７】
また、上記第８の発明によれば、上記基準時以後で且つ空調対象者（100）の起床予定時前の所定時間に上記設定温度を低温度から上昇させるので、容易な制御方法で頭側空間及び脚側空間の少なくとも何れか一方の空気温度を上昇させることができ、これにより空調対象者（100）の体温は上昇し、該空調対象者（100）は快適な目覚めを得ることができる。
【００４８】
また、上記第９の発明によれば、空調対象者（100）の起床予定時以降も頭側空間及び脚側空間の少なくとも何れか一方の空気温度が漸次上昇するので、仮に空調対象者（100）が起床予定時に目覚めない場合や快適な目覚めを得られない場合でも、空調対象者（100）の体温は環境温度の変化による体への負担が少ない状態でさらに上昇し、該空調対象者（100）は快適な目覚めを得ることができる。
【００４９】
また、上記第１０の発明によれば、空調対象者（100）の起床予定時に上記設定温度を上昇させるので、容易な制御方法で頭側空間及び脚側空間の少なくとも何れか一方の空気温度を上昇させることができ、これにより仮に空調対象者（100）が起床予定時に目覚めない場合や快適な目覚めを得られない場合でも、空調対象者（100）の体温は上昇し、該空調対象者（100）は快適な目覚めを得ることができる。
【００５０】
また、上記第１１の発明によれば、睡眠空間（11）において空調対象者（100）の就寝状態の頭側空間の空気温度が脚側空間の空気温度より低くなる所定の設定温度に制御するので、人体の部位別な至適温度に適した「頭寒足熱」が形成され、空調対象者（100）は快適な睡眠を得ることができる。そして、頭側空間及び脚側空間の少なくとも何れか一方の空気温度が、上記基準時の経過後に上昇するように上記空調手段（30F,30R）の設定温度を制御するので、空調対象者（100）の体温は上昇し、睡眠状態にある空調対象者（100）を覚醒状態に誘導することができる。
【００５１】
また、上記第１２の発明によれば、上記基準時以後から空調対象者（100）の起床予定時まで頭側空間及び脚側空間の少なくとも何れか一方の空気温度が漸次上昇するので、空調対象者（100）の体温は環境温度の変化による体への負担が少ない状態で上昇し、該空調対象者（100）は快適な目覚めを得ることができる。
【００５２】
また、上記第１３の発明によれば、上記基準時以後で且つ空調対象者（100）の起床予定時前の所定時間に上記設定温度を低温度から上昇させるので、容易な制御方法で頭側空間及び脚側空間の少なくとも何れか一方の空気温度を上昇させることができ、これにより空調対象者（100）の体温は上昇し、該空調対象者（100）は快適な目覚めを得ることができる。
【００５３】
また、上記第１４の発明によれば、空調対象者（100）の起床予定時以降も頭側空間及び脚側空間の少なくとも何れか一方の空気温度が漸次上昇するので、仮に空調対象者（100）が起床予定時に目覚めない場合や快適な目覚めを得られない場合でも、空調対象者（100）の体温は環境温度の変化による体への負担が少ない状態でさらに上昇し、空調対象者（100）は快適な目覚めを得ることができる。
【００５４】
また、上記第１５の発明によれば、空調対象者（100）の起床予定時に上記設定温度を上昇させるので、容易な制御方法で頭側空間及び脚側空間の少なくとも何れか一方の空気温度を上昇させることができ、これにより仮に空調対象者（100）が起床予定時に目覚めない場合や快適な目覚めを得られない場合でも、空調対象者（100）の体温は上昇し、該空調対象者（100）は快適な目覚めを得ることがができる。
【００５５】
また、上記第１６の発明によれば、睡眠カプセル本体（20）の内部空間という限られたスペースにおいて環境温度の制御を行うので、制御が容易かつ正確に行うことができる。さらに、広いスペースの空調を制御する必要がないため省エネルギーにもつながる。
【発明を実施するための最良の形態】
【００５６】
以下、本発明の実施形態を図面に基づいて詳細に説明する。
【００５７】
《発明の実施形態１》
図１〜図４に示すように、本実施形態の睡眠カプセル（10）は、仮眠等を行うためのもので、就寝状態にある空調対象者（100）が就寝し得る比較的小空間の密閉空間を構成している。
【００５８】
上記睡眠カプセル（10）は、睡眠カプセル本体であるカプセル本体（20）に２つの空調手段である頭側空調ユニット（13）および脚側空調ユニット（14）が設けられて睡眠環境システムを構成している。
【００５９】
上記カプセル本体（20）は、床台（21）と、該床台（21）が構成するベッド（22）の前部両側部に設けられた補助側板（23）とを備えている。また、上記床台（21）の上面前端部には、後述する頭側空調ユニット（13）の頭側空気流通部（60）が設けられている。そして、上記カプセル本体（20）は、上方を覆う覆い部材（50）を備え、内部が就寝空間である睡眠室（11）に構成されている。なお、本実施形態では、空調対象者（100）の頭側を前側とし、空調対象者（100）の脚側を後側としている。
【００６０】
上記覆い部材（50）は、図３に示すように、幌式に構成され、９本の支骨（51a,51b）と幌布（52）とを備えている。そして、２本の第１支骨（51a）は、床台（21）の両側中央部に設けられた回動自在な回動軸（51c）に取り付けられている。
【００６１】
上記頭側空調ユニット（13）は、頭側空調機（30F）および上記頭側空気流通部（60）を備えている。一方、上記脚側空調ユニット（14）は、脚側空調機（30R）および脚側空気流通部（70）を備えている。
【００６２】
上記頭側空調機（30F）および脚側空調機（30R）は、図４に示すように、１つのケース（31）に空調ファン（32）と排熱ファン（33）と熱交換部材（40）とが収納された１つの空調機として構成され、床台（21）の内部に配置されている。上記両空調機（30F,30R）は、ほぼ同一に構成されているので、ここでは脚側空調機（30R）について説明する。
【００６３】
上記ケース（31）の内部は、空調通路（36）と排熱通路（37）とに区画されている。そして、上記ケース（31）には、空調通路（36）が睡眠室（11）と連通する吸込側である還気口（35）と吹出側である給気口（34）とが形成されている。また、上記ケース（31）には、排熱通路（37）が床台（21）の側面の空気口（2a）と連通する吸込側である外気取入れ口（3a）と吹出側である排熱口（3b）とが形成されている。
【００６４】
上記ケース（31）には、空調通路（36）に配置された空調ファン（32）と、排熱通路（37）に配置された排熱ファン（33）とが設けられている。
【００６５】
上記熱交換部材（40）は、いわゆるペルチェ素子である熱電素子（41）を備えている。この熱電素子（41）は、第１フィン群（42）と第２フィン群（43）とが形成されている。そして、上記第１フィン群（42）が空調通路（36）に位置し、上記第２フィン群（43）が排熱通路（37）に位置している。
【００６６】
また、上記排熱通路（37）におけるケース（31）の底面には、ドレンの蒸発用ヒータ（38）が設けられている。一方、上記空調通路（36）におけるケース（31）の底面には、ドレン受け（39）が設けられている。
【００６７】
上記頭側空調機（30F）の給気口（34）および還気口（35）には、頭側空気流通部（60）が接続され、上記脚側空調機（30R）の給気口（34）および還気口（35）には、脚側空気流通部（70）が接続されている。
【００６８】
この頭側空気流通部（60）は、頭側調和空気（61W）を吹き出す吹出口（61）と睡眠室（11）の頭側の室内空気を吸い込む吸込口（62）とがベッド（22）の前側である頭側に形成され、主として空調対象者（100）の頭側の空気調和を行うように構成されている。
【００６９】
上記脚側空気流通部（70）は、脚側調和空気（71W）を吹き出す１つの吹出口（71）と睡眠室（11）の脚側の室内空気を吸い込む２つの吸込口（72）とが形成され、主として空調対象者（100）の脚側の空気調和を行うように構成されている。
【００７０】
そして、上記睡眠カプセル（10）には、図５に示すように、頭側空調機（30F）および脚側空調機（30R）の制御手段であるコントローラ（12）が設けられている。図５は、上記コントローラ（12）による制御の概念図である。上記コントローラ（12）は、脚側調和空気（71W）の温度を頭側調和空気（61W）の温度より高く制御して、睡眠室（11）内を「頭寒足熱」の環境に制御すると共に、睡眠深度測定手段（101）と温度制御手段（102）と記憶部（103）とを備えている。上記睡眠深度測定手段（101）は、空調対象者（100）の入眠時Ｔ０、つまり覚醒状態から睡眠状態へと移る時点を検出する機能と、入眠後の空調対象者（100）の睡眠深度を測定する機能とを備え、例えば脳波センサーを備えている。つまり、入眠時Ｔ０は、例えば深部体温センサーや皮膚温センサー、心拍数センサー、体動センサー、脳波センサー、血圧センサー等の各種センサー等により検出することができ、睡眠深度は、例えば脳波測定することによって検出することができる。上記記憶部（103）は、睡眠深度測定手段（101）により測定された睡眠深度を記憶する。また、上記温度制御手段（102）は、睡眠深度測定手段（101）及び記憶部（103）から与えられる情報により、頭側空調機（30F）及び脚側空調機（30R）の熱交換部材（40）を制御する。
【００７１】
具体的に、冷房運転時においては、頭側及び脚側の両空調機（30F,30R）が駆動し、上記温度制御手段（102）は、脚側調和空気（71W）の温度が頭側調和空気（61W）の温度より高くなるように保ちながら、脚側調和空気（71W）及び頭側調和空気（61W）の温度を睡眠深度測定手段（101）によって測定される空調対象者（100）の睡眠深度に基づいて制御する。
【００７２】
一方、暖房運転時においては、脚側空調機（30R）のみが駆動し、上記温度制御手段（102）は、脚側調和空気（71W）の温度を頭側の環境温度より高い温度になるように保ちながら、脚側調和空気（71W）の温度を睡眠深度測定手段（101）によって測定される空調対象者（100）の睡眠深度に基づいて制御する。
【００７３】
これらの制御により、睡眠室（11）の温度は人体の部位別な快適性に適した「頭寒足熱」の温度分布を保ちながら、睡眠深度に適した温度となる。
【００７４】
−運転動作−
次に、上記睡眠カプセル（10）における温度制御について図６〜図８に基づき説明する。
【００７５】
先ず、冷房運転時において、上記コントローラ（12）は、図６に示すような頭側調和空気（61W）と脚側調和空気（71W）の温度制御を行う。図６は就寝時からの時間の経過に対する頭側及び脚側の両調和空気（61W,71W）の設定温度の変化を示している。上記コントローラ（12）は、脚側調和空気（71W）及び頭側調和空気（61W）の温度が特性線（120,121）に示す設定温度になるように、頭側空調機（30F）及び脚側空調機（30R）の熱交換部材（40）を制御する。
【００７６】
先ず、空調対象者（100）は睡眠室（11）に入り、脚側で折り畳まれている覆い部材（50）を頭側に回動して展開することにより全閉状態として就寝を開始する。ここでいう就寝とは、空調対象者（100）が睡眠室（11）で睡眠をとるために横になっている状態であり、覚醒と睡眠の両状態が含まれる。そして、就寝時とは空調対象者（100）は覚醒状態にあり、就寝を開始する時間である。また、空調対象者（100）の睡眠状態は、上記睡眠深度測定手段（101）により測定される入眠時Ｔ０より開始する。
【００７７】
そして、上記空調対象者（100）は、例えば操作ボックスで頭側調和空気（61W）の初期設定温度２６℃、脚側調和空気（71W）の初期設定温度３０℃、両調和空気（61W,71W）の初期設定温度を入眠時から一定に保つ所定期間Δｔ１と起床予定時Ｔ４をセットする。ここで、脚側調和空気（71W）の初期設定温度３０℃は、末梢血管が最大に開き、なおかつ外気と血液との熱交換量ができるだけ多くなる温度である。頭側調和空気（61W）の設定温度２６℃は、人体の部位別の快適温度分布に合わせて、脚側調和空気（71W）の初期設定温度より４℃低い温度である。そして、両調和空気（61W,71W）の初期設定温度を入眠時Ｔ０より一定に保つ所定期間Δｔ１は空調対象者（100）が適宜決定してセットする。さらに、空調対象者（100）の睡眠深度を測定するための睡眠深度測定手段（101）をセットする。
【００７８】
空調対象者（100）が就寝を開始すると、上記コントローラ（12）の温度制御手段（102）は、脚側調和空気（71W）の温度が初期設定温度３０℃になるように脚側空調機（30R）の熱交換部材（40）を制御する。つまり上記温度制御手段（102）は、脚側空気流通部（70）に連通する脚側の空調通路（36）の熱電素子（41）を制御し、該脚側の空調通路（36）を通る空気を３０℃になるように調節する。また、上記温度制御手段（102）は、頭側調和空気（61W）の温度が設定温度３０より４℃低い２６℃になるように熱交換部材（40）を制御する。つまり、上記温度制御手段（102）は、頭側空気流通部（60）に連通する頭側の空調通路（36）の熱電素子（41）を制御し、該頭側の空調通路（36）を通る空気を３０℃より４℃低い２６℃になるように調節する。
【００７９】
次に、上記コントローラ（12）の睡眠深度測定手段（101）により、空調対象者（100）の入眠時Ｔ０を測定する。そして、上記温度制御手段（102）は、入眠時Ｔ０から予め空調対象者（100）が適宜決定してセットした所定期間Δｔ１を経た所定時間Ｔ１までは脚側調和空気（71W）の初期設定温度３０℃と頭側調和空気（61W）の初期設定温度２６℃を保つように制御する。つまり、入眠時Ｔ０から所定時間Ｔ１までの睡眠初期において、脚側３０℃及び頭側２６℃の一定温度による「頭寒足熱」が保持され、空調対象者（100）は安眠状態へと誘導される。
【００８０】
続いて、上記温度制御手段（102）は、図６の特性線１２１に示すように、頭側調和空気（61W）の設定温度を２６℃の一定に保ったまま、図６の特性線１２０に示すように、脚側調和空気（71W）の温度が所定時間Ｔ１から漸次低下し、所定時間Ｔ２に２８℃となるように、脚側空調機（30R）の熱交換部材（40）を制御する。つまり、上記温度制御手段（102）は、脚側空気流通部（70）に連通する脚側の空調通路（36）の熱電素子（41）を制御し、該脚側の空調通路（36）を通る空気温度が所定時間Ｔ１から睡眠途中の所定の基準時前である所定時間Ｔ２にかけて、３０℃から２８℃に漸次低下するよう調節する。脚側調和空気（71W）の温度が低下するので、空調対象者（100）の体温は睡眠初期から睡眠中期にかけて低下するよう誘導され、該空調対象者（100）は深い睡眠（以下、深睡眠という）状態へと誘導される。
【００８１】
そして、所定期間Ｔ２は空調対象者（100）の睡眠深度により自動的に決定する。そこで、この決定動作について説明する。尚、図７（ａ）は時間に対する睡眠深度の変化、（ｂ）は体温の変化をそれぞれ概念的に示している。
【００８２】
図７（a）に示す曲線（201）は睡眠深度を表し、睡眠深度１、２、３、４の順に睡眠は深くなる。睡眠深度は、入眠後に深まり睡眠段階４に達するような最も深い極値（202）を得る。その後、睡眠深度は徐々に浅くなりＲＥＭ睡眠のピークと睡眠が深くなる極値とを交互に繰り返す。睡眠深度は、一般的には睡眠時間が経つとともに、徐々に浅くなり覚醒に至る。そして、睡眠深度は２番目の極値（203）付近で現れる深睡眠の状態を過ぎると、深睡眠の状態が現れにくくなり、２番目の極値（203）をできるだけ深くすることが、深い睡眠を効率よく得ることにとって望ましい。図７（ｂ）で示される体温の変化を考慮すると、２番目の極値（203）をできるだけ深くするためには、睡眠深度が少なくとも２番目の極値（203）を得るまでは体温が単調に低下すればよい。つまり、所定時間Ｔ２は２番目の極値（203）以降に設定する。
【００８３】
そして、２つ目の深睡眠の状態の時間をさらに長くするためには、２つ目の深睡眠の状態を脱するまで、体温を単調に低下させることが好ましい。具体的には、入眠時Ｔ０から睡眠深度が２番目の極値（203）を得た後であって、睡眠深度３の時点（204）から睡眠深度２の時点（205）に移行するまでの脚側調和空気（71W）の温度を単調に低下させることで、２つ目の深睡眠の状態の時間を長くできる。つまり、脚側調和空気（71W）の設定温度が２８℃に達する所定時間Ｔ２は、２番目の極値（203）を得た後であって睡眠深度３の時点（204）から睡眠深度２の時点（205）に移行するまでの時点であることが好ましい。本実施形態では２番目の極値（203）を得た後であって睡眠深度３の時点（204）から睡眠深度２の時点（205）に移行するまで間に所定時間Ｔ２を設定している。これにより、２番目の深睡眠の状態を長くすることができるので、全睡眠時間中における深睡眠の割合も増大する。
【００８４】
その後、上記温度制御手段（102）は、図６に示すように、所定時間Ｔ２から所定時間Ｔ３において、脚側調和空気（71W）の設定温度２８℃及び頭側調和空気（61W）の設定温度２６℃が一定に保たれるように、頭側空調機（30F）及び脚側空調機（30R）の熱交換部材（40）を制御する。
【００８５】
次に、上記温度制御手段（102）は、脚側調和空気（71W）の温度が、睡眠途中の所定の基準時以後の所定時間Ｔ３から漸次上昇し、起床予定時Ｔ４に２９℃となるように、脚側空調機（30R）の熱交換部材（40）を制御する。つまり、上記温度制御手段（102）は、脚側空気流通部（70）に連通する脚側の空調通路（36）の熱電素子（41）を制御し、該脚側の空調通路（36）を通る空気温度が、所定時間Ｔ３から起床予定時Ｔ４にかけて２８℃から２９℃に漸次上昇するよう調節する。また、上記温度制御手段（102）は、頭側調和空気（61W）の温度も所定時間Ｔ３から漸次上昇し、起床予定時Ｔ４に２７℃となるように、頭側空調機（30F）の熱交換部材（40）を制御する。つまり、上記温度制御手段（102）は、頭側空気流通部（60）に連通する頭側の空調通路（36）の熱電素子（41）を制御し、該頭側の空調通路（36）を通る空気温度が、所定時間Ｔ３から起床予定時Ｔ４にかけて２６℃から２７℃に漸次上昇するよう調節する。脚側及び頭側の調和空気（71W,61W）の温度が共に上昇するので、空調対象者（100）の体温も上昇し、該空調対象者（100）は起床予定時Ｔ４に快適な目覚めを得ることができる。
【００８６】
そして、所定期間Ｔ３は図８（ａ）に示す環境温度に対する体温変化の関係と図８（ｂ）に示す時間に対する睡眠深度の変化により自動的に決定する。
【００８７】
環境温度に対する体温変化の関係は、図８（ａ）に示すように、一般的に、環境温度が時間ｔｓに上昇すると、人体の体温は環境温度の上昇と同時に上昇し始めるのではなく、環境温度の上昇開始より所定期間Δｔ遅れた時間ｔｐに体温上昇が開始するという関係がある。所定期間Δｔは予め測定され、また、該所定期間Δｔは人体の熱容量による体温変化の遅延や、寝具や着衣による遅れに依存するが、多数回測定することにより、季節の相違による寝具や着衣の相違の影響を小さくすることが可能である。そして、所定期間Δｔを、予め記憶部に記憶させておく。
【００８８】
次に、上記コントローラ（12）の睡眠深度測定手段（101）は、図８（ｂ）に示すように、入眠後のｊ番目と（ｊ＋１）番目とのＲＥＭ睡眠のＴ（ｊ）時点（301）、Ｔ（ｊ＋１）時点（302）を検出する（ｊ≧２）。そして、起床予定時Ｔ４の直前のＲＥＭ睡眠の時点であって、Ｔ（ｊ）時点（301）からＴ（ｊ＋１）時点（302）の間隔をｎ倍（ｎは正の整数）した期間をＴ（ｊ＋１）時点（302）に加えたＴ（ｊ＋ｎ）時点（303）を決定する。図８（ａ）では、Ｔ（ｊ）時点（301）からＴ（ｊ＋１）時点（302）の間隔を２倍した期間を採用している。
【００８９】
起床予定時Ｔ４には快適な目覚めを得るには、少なくとも起床予定時Ｔ４の直前のＲＥＭ睡眠のＴ（ｊ＋ｎ）時点（303）には空調対象者（100）の体温が上昇し始めているのが好ましい。そして、環境温度に対する体温変化の関係を考慮すると、空調対象者（100）の体温をＴ（ｊ＋ｎ）時点（303）から上昇させるには、Ｔ（ｊ＋ｎ）時点（303）より所定期間Δｔ前から睡眠室（11）の温度が上昇する必要がある。また、ＲＥＭ睡眠のＴ（ｊ＋ｎ）時点（303）より少し前から体温上昇が開始した方が、より目覚めが快適になるので、睡眠室の温度は、Ｔ（ｊ＋ｎ）時点（303）より所定期間Δ（ｔ＋α）前に上昇すればよい。つまり、所定時間Ｔ３は起床予定時Ｔ４の直前のＲＥＭ睡眠の時点であるＴ（ｊ＋ｎ）時点（303）より所定期間Δ（ｔ＋α）早い時間に決定する。
【００９０】
そして、起床予定時Ｔ４以降は上記コントローラ（12）の温度制御手段（103）は、脚側調和空気（71W）の温度が設定温度３０℃となるように脚側空調機（30R）の熱交換部材（40）を制御し、頭側調和空気（61W）の温度が設定温度２８℃となるように頭側空調機（30F）の熱交換部材（40）を制御する。起床予定時Ｔ４に脚側及び頭側の調和空気（71W,61W）の温度が共に上昇するので、空調対象者（100）が仮に起床予定時Ｔ４に起床できなかった場合や起床予定時Ｔ４における目覚めが快適でない場合であっても、該空調対象者（100）は快適な目覚めを得ることができる。
【００９１】
一方、暖房運転の場合は、脚側空調機（30R）のみが駆動し、上記温度制御手段（102）は、就寝時から所定時間Ｔ１までは、脚側調和空気（71W）の温度が初期設定温度３０℃になるように脚側空調機（30R）の熱交換部材（40）を制御し、睡眠室の温度を人体の部位別な至適温度に適した「頭寒足熱」の温度分布を形成するように制御する。そして、所定時間Ｔ１以降は、脚側調和空気（71W）の温度が冷房運転時と同様な変化をするように、脚側空調機（30R）の熱交換部材（41）を制御する。つまり、上記温度制御手段（102）は、脚側調和空気（71W）の温度が、所定時間Ｔ１から所定時間Ｔ２にかけて３０℃から２８℃となるよう漸次低下し、所定時間Ｔ２から所定時間Ｔ３において２８℃の一定に保った後に、起床予定時Ｔ４に２９℃となるように所定時間Ｔ３から漸次上昇するように脚側空調機（30R）を制御する。そして、上記温度制御手段（102）は、起床予定時Ｔ４以降は３０℃の一定温度となるように脚側空調機（30R）を制御する。
【００９２】
上記コントローラ（12）のこれらの制御により、人体の部位別な快適性に適した「頭寒足熱」の温度分布がが形成され、かつ、人体の睡眠深度に基づいての体温変化をＶ字型に導くことができる。そして、空調対象者（100）は深い睡眠と快適な目覚めを得ることが可能となる。
【００９３】
−実施形態１の効果−
以上のように、本実施形態によれば、睡眠室（11）において、空調対象者（100）の就寝時から睡眠初期の所定時間Ｔ１までの期間は、脚側調和空気（71W）の初期定温度３０℃と頭側調和空気（61W）の初期設定温度２６℃という、血液と外気との熱交換量が多く、なおかつ人体の部位別な快適性に最適な温度条件下に保たれるので、該空調対象者（100）は安眠状態へと誘導される。
【００９４】
また、睡眠初期の所定時間Ｔ１から睡眠深度測定手段（101）により決定された所定時間Ｔ２において、頭側調和空気（61W）の設定温度が２６℃に保たれたまま、脚側調和空気（71W）の設定温度が３０℃から２８℃に低下するので、空調対象者（100）の体温を睡眠中期にかけて低下させることができる。そして、この所定時間Ｔ２を２番目の極値（203）を得た後であって睡眠深度３（204）から睡眠深度２（205）に移行する時点とすることにより、２番目の深睡眠の状態を長くすることができ、結果的に深睡眠の累積時間を短期に増大させることができる。
【００９５】
また、起床予定時Ｔ４前であって、空調対象者（100）の環境温度に対する体温変化の関係と睡眠深度により決定される所定時間Ｔ３から、脚側調和空気（71W）の設定温度が２８℃から２９℃に上昇し、頭側調和空気（61W）の設定温度が２６℃から２７℃に上昇するので、空調対象者（100）の体温も上昇し、該空調対象者（100）は快適な目覚めを得ることができる。
【００９６】
そして、起床予定時Ｔ４以降には、脚側調和空気（71W）の設定温度は就寝時の初期設定温度３０℃まで上昇し、頭側調和空気（61W）の設定温度は２８℃に上昇するので、空調対象者（100）が仮に起床予定時Ｔ４に起床できなかった場合や起床予定時Ｔ４における目覚めが快適でない場合であっても、さらに体温が上昇し快適な目覚めを誘発することができる。
【００９７】
このようにして、脚側調和空気（71W）の設定温度が頭側調和空気（61W）の設定温度より高くなるように保持しながら、両調和空気（71W,61W）の設定温度を睡眠深度に基づいて変化させることにより、人体の部位別な至適温度に適した「頭寒足熱」が温度分布が形成され、かつ、就寝状態にある空調対象者（100）の体温変化をＶ字型に導くことができる。そして、空調対象者（100）は深い睡眠と快適な目覚めを得ることが可能となる。
【００９８】
《発明の実施形態２》
本実施形態では、上記コントローラ（12）は、冷房運転時及び暖房運転時において、脚側調和空気（71W）及び頭側調和空気（61W）の設定温度が、図９に示す特性線（130,131）のようになるように、両空調機（30F,30R）を制御する。つまり、上記実施形態１では、上記コントローラ（12）の温度制御手段（102）は、起床予定時Ｔ４前の所定時間Ｔ３から頭側調和空気（61W）の設定温度を上昇さるように頭側空調機（30F）を制御したが、本実施形態では、頭側調和空気（61W）の温度は初期設定温度のまま一定となるように、頭側空調機（30F）を制御する。
【００９９】
具体的には、上記温度制御手段（102）は、図９の特性線１３１に示すように、頭側調和空気（61W）の設定温度を２６℃の一定となるように頭側空調機（30F）を制御する。一方、上記温度制御手段（102）は、図９の特性線１３０に示すように、脚側調和空気（71W）の設定温度を就寝時から所定時間Ｔ１まで３０℃に保った後に、所定時間Ｔ２に２８℃となるよう所定時間Ｔ１から漸次低下させるように脚側空調機（30R）を制御する。その後、温度制御手段（102）は、所定時間Ｔ２から所定時間Ｔ３まで２８℃の一定に保った後に、起床予定時Ｔ４に２９℃となるよう所定時間Ｔ３から漸次上昇させ、さらに、起床予定時Ｔ４以降は３０℃の一定温度となるように、脚側空調機（30R）を制御する。
【０１００】
本実施形態では、上記温度制御手段（102）は、頭側調和空気（61W）の設定温度を一定になるように制御するので、容易な制御で、睡眠室（11）の「頭寒足熱」の温度分布を形成させることができる。また、上記温度制御手段（102）は、脚側調和空気（71W）の設定温度を上記実施形態１と同様のＶ字型変化となるように脚側空調機（30R）を制御するので、空調対象者（100）の体温をＶ字型に導くことができる。その他の構成、作用及び効果は、実施形態１と同じである。
【０１０１】
《発明の実施形態３》
本実施形態では、上記コントローラ（12）は、冷房運転時及び暖房運転時において、脚側調和空気（71W）及び頭側調和空気（61W）の設定温度が、図１０に示す特性線（140,141）のようになるように、両空調機（30F,30R）を制御する。つまり、上記実施形態１では、上記コントローラ（12）の温度制御手段（102）は、所定時間Ｔ３まで頭側調和空気（61W）が初期設定温度の一定となるように制御したが、本実施形態では、脚側調和空気（71W）と頭側調和空気（61W）の設定温度の温度差４℃に保ったまま、共に所定時間Ｔ１から所定時間Ｔ２まで漸次低下させ、所定時間Ｔ３から起床予定時Ｔ４まで漸次上昇させ、起床予定時Ｔ４以降はさらに設定温度を上昇させるように、両空調機（30F,30R）を制御する。
【０１０２】
具体的には、上記温度制御手段（102）は、図１０の特性線１４１に示すように、頭側調和空気（61W）の設定温度を所定時間Ｔ１まで２６℃に保った後に、所定時間Ｔ２に２４℃となるよう所定時間Ｔ１から漸次低下させるように頭側空調機（30F）を制御する。その後、上記温度制御手段（102）は、所定時間Ｔ２から所定時間Ｔ３まで２４℃の一定に保った後に、起床予定時Ｔ４に２５℃となるよう所定時間Ｔ３から漸次上昇させ、さらに、起床予定時Ｔ４以降は２６℃の一定温度となるように、頭側空調機（30F）を制御する。一方、上記温度制御手段（102）は、図１０の特性線１４０に示すように、脚側調和空気（71W）の設定温度を就寝時から所定時間Ｔ１まで３０℃に保った後に、所定時間Ｔ２に２８℃となるよう所定時間Ｔ１から漸次低下させるように、脚側空調機（30R）を制御する。そして、上記温度制御手段（102）は、所定時間Ｔ２から所定時間Ｔ３まで２８℃の一定に保った後に、起床予定時Ｔ４に２９℃となるよう所定時間Ｔ３から漸次上昇させ、さらに、起床予定時Ｔ４以降は３０℃の一定温度となるように、脚側空調機（30R）を制御する。
【０１０３】
本実施形態では、上記温度制御手段（102）は、頭側調和空気（61W）及び脚側調和空気（71W）の設定温度の温度差を４℃に保つので、人体の部位別の快適温度分布に合わせた「頭寒足熱」を保つことができる。また、上記温度制御手段（102）は、頭側調和空気（61W）及び脚側調和空気（71W）の設定温度を共に所定時間Ｔ１から所定時間Ｔ２まで漸次低下させ、所定時間Ｔ３から起床予定時Ｔ４まで漸次上昇させるので、空調対象者（100）の睡眠時のＶ型型体温変化を敏速に導くことができる。その他の構成、作用及び効果は、実施形態１と同じである。
【０１０４】
《発明の実施形態４》
本実施形態では、上記コントローラ（12）は、冷房運転時及び暖房運転時において、脚側調和空気（71W）及び頭側調和空気（61W）の設定温度が、図１１に示す特性線（150,151）のようになるように、両空調機（30F,30R）を制御する。つまり、上記実施形態１では、上記コントローラ（12）の温度制御手段（102）は、脚側調和空気（71W）の設定温度を変化させたが、本実施形態では、脚側調和空気（71W）の設定温度を一定になるように脚側空調機（30R）を制御する。
【０１０５】
具体的には、上記温度制御手段（102）は、図１１の特性線１５０に示すように、脚側調和空気（71W）の設定温度を上記実施形態１の初期設定温度３０℃の一定に保つように脚側空調機（30R）を制御する。一方、上記温度制御手段（102）は、図１１の特性線１５１に示すように、頭側調和空気（61W）の設定温度を就寝時から所定時間Ｔ３まで２６℃に保った後に、起床予定時Ｔ４に２７℃となるよう所定時間Ｔ３から漸次上昇させ、さらに、起床予定時Ｔ４以降は２８℃の一定温度になるように、頭側空調機（30F）を制御する。
【０１０６】
本実施形態では、上記温度制御手段（102）は、脚側調和空気（71W）の設定温度は一定になるように制御するので、容易な制御で、睡眠室（11）の「頭寒足熱」の温度分布が形成することができる。また、上記温度制御手段（102）は、頭側調和空気（61W）の設定温度を起床予定時Ｔ４前の所定時間Ｔ３より上昇させるように頭側空調機（30F）を制御するので、空調対象者（100）の体温も起床時間Ｔ４前から上昇し、空調対象者（100）は快適な目覚めを得ることができる。その他の構成、作用及び効果は、実施形態１と同じである。
【０１０７】
《発明の実施形態５》
本実施形態では、上記コントローラ（12）は、冷房運転時と暖房運転時において、脚側調和空気（71W）及び頭側調和空気（61W）の設定温度が、図１２に示す特性線（160,161）のようになるように、両空調機（30F,30R）を制御する。つまり、上記実施形態２では、上記コントローラ（12）の温度制御手段（102）は、頭側調和空気（61W）の設定温度を一定に保ったまま、脚側調和空気（71W）の設定温度を漸次変化させたが、本実施形態では、矩形波的な変化となるように脚側空調機（30R）を制御する。
【０１０８】
具体的には、上記温度制御手段（102）は、図１２に示す特性線１６１に示すように、頭側調和空気（61W）の設定温度を２６℃の一定となるように頭側空調機（30F）を制御する。一方、上記温度制御手段（102）は、図１２に示す特性線１６０に示すように、脚側調和空気（71W）の設定温度を就寝時から所定時間Ｔ１まで３０℃に保った後に、この所定時間Ｔ１において、脚側調和空気（71W）の設定温度を３０℃から２８℃に急激に低下させるよう制御する。その後、上記温度制御手段（102）は、所定時間Ｔ１から所定時間Ｔ３までは２８℃の一定に保ち、所定時間Ｔ３及び起床予定時Ｔ４において段階的に３０℃まで上昇させ、さらに、起床予定時以降は３０℃の一定温度となるように脚側空調機（30R）を制御する。
【０１０９】
本実施形態では、上記コントローラ（12）の温度制御手段（102）は、頭側調和空気（61W）の設定温度は一定であり、脚側調和空気（71W）の設定温度も矩形波的な変化であるので、制御が容易である。このような容易な制御で、睡眠室（11）は「頭寒足熱」の温度分布が形成され、かつ、空調対象者（100）の体温をＶ字型に導くことができる。そして、その他の構成、作用及び効果は、実施形態１と同じである。
【０１１０】
《その他の実施形態》
本発明は、上記実施形態について、以下のような構成としてもよい。
【０１１１】
上記実施形態１〜５では、所定時間Ｔ２及び所定時間Ｔ３は、空調対象者（100）の睡眠深度を睡眠深度測定手段（101）を用いて随時測定することにより決定したが、予め記憶部（103）にて、睡眠深度測定手段（101）により測定した空調対象者（100）の睡眠深度を記憶することにより制御してもよい。また、入眠時Ｔ０、所定時間Ｔ２及び所定時間Ｔ３等は睡眠深度測定手段（101）を用いず、温度制御手段（102）がタイマーなどで制御するようにしてもよい。
【０１１２】
また、実施形態１〜３では、所定時間Ｔ３は所定時間Ｔ２より遅い時刻であるが、所定時間Ｔ２と所定時間Ｔ３は同時刻であってもよい。つまり、脚側の設定温度が所定時間Ｔ２で最下点となり、暫時一定温度を保った後に温度上昇を開始してもよいし、最下点になった直後に温度上昇を開始してもよい。所定時間Ｔ３は所定時間Ｔ２以後であればよい。
【０１１３】
また、実施形態１〜３では、所定時間Ｔ１は入眠時Ｔ０より遅い時刻であるが、所定時間Ｔ１と入眠時Ｔ０は同時刻であってもよい。つまり、空調対象者（100）が入眠時Ｔ０より一定温度の「頭寒足熱」を保つ所定期間ΔＴ１を０時間として設定することにより、入眠時Ｔ０から所定時間Ｔ２にかけて漸次温度低下させるような制御をしてもよい。
【０１１４】
また、実施形態１〜５では、起床予定時Ｔ４以降は、頭側調和空気（61W）と脚側調和空気（71W）の設定温度を一定に保っているが、起床予定時Ｔ４から漸次温度上昇させてもよい。そして、空調対象者（100）が起床した際は、操作ボックスにて上記コントローラ（12）の制御を停止してもよいし、起床予定時Ｔ４から所定時間を経た後に自動的に制御が停止するようにセットされていてもよい。
【０１１５】
また、脚側調和空気（71W）と頭側調和空気（61W）の設定温度、脚側調和空気（71W）と頭側調和空気（61W）の温度差は、実施形態１〜５に示した温度に限定されず、空調対象者（100）の好みや体調、睡眠カプセル（10）を利用する際に用いる寝具や着衣、季節や天気による外気温の変化に応じて適宜決定して設定してもよい。
【０１１６】
また、「頭寒足熱」の温度分布が形成されていれば、実施形態１〜５の頭側調和空気（61W）と脚側調和空気（71W）の制御の挙動を逆にしてもよい。例えば、実施形態２において頭側調和空気（61W）と脚側調和空気（71W）の制御の挙動を逆にした場合は、脚側調和空気（71W）で一定であり、頭側調和空気（61W）の設定温度が実施形態３に示す頭側調和空気（61W）の設定温度のように変化する。この場合も、「頭寒足熱」の温度分布は形成され、かつ、空調対象者（100）の体温変化をＶ字型に導くことができる。
【０１１７】
また、実施形態１では、暖房運転時には脚側空調機（30R）のみを駆動し、実施形態１の冷房運転時及び実施形態２〜５においては、頭側及び脚側の両空調機（30F,30R）を駆動しているが、睡眠室（11）の「頭寒足熱」の温度分布が形成され、睡眠室（11）の温度がＶ字型変化となれば、冷房運転時や暖房運転時の何れにおいても、頭側空調機（30F）と脚側空調機（30R）の何れか一方のみ駆動してもよいし、両空調機（30F,30R）を駆動してもよい。
【０１１８】
また、実施形態１〜５の頭側及び脚側の設定温度の制御は、図６、図９〜１２に示されるように直線的な変化であるが、なだらかな正弦波的な変化の制御としてもよいし、これらの組み合わせであってもよい。
【０１１９】
そして、睡眠カプセルの覆い部材や、空調ユニットなどの形状は、上記睡眠カプセル（10）の構成に限定されない。例えば、覆い部材は上下ではなく、左右に回動する片開き式や両開き式としてもよい。熱交換部材（40）は熱電素子（41）に限定されず、蒸気圧縮式冷凍サイクルの蒸発器や凝縮器であってもよい。さらに、睡眠室は睡眠カプセルに限定されず、空調対象者（100）が就寝するのに適当な室内空間などであればよい。
【０１２０】
なお、以上の実施形態は、本質的に好ましい例示であって、本発明、その適用物、あるいはその用途の範囲を制限することを意図するものではない。
【産業上の利用可能性】
【０１２１】
以上説明したように、本発明は、空調機能を備えた睡眠環境制御システムとして有用である。
【図面の簡単な説明】
【０１２２】
【図１】実施形態１に係る睡眠カプセルを覆い部材を省略して示す斜視図である。
【図２】実施形態１に係る空気流通部を示す正面図であり、（ａ）は頭側空気流通部を示し、（ｂ）は脚側空気流通部を示す。
【図３】実施形態１に係る睡眠カプセルを覆い部材を含めて示す側面図である。
【図４】実施形態１に係る空調ユニットを示す概略構成図である。
【図５】実施形態１に係る睡眠カプセルのコントローラによる頭側及び脚側の両空調機の制御方法の概念図である。
【図６】実施形態１に係る脚側調和空気及び頭側調和空気の温度制御を示す温度特性図である。
【図７】（ａ）時間に対する睡眠深度の変化、（ｂ）時間に対する体温の変化を概念的に示す図である。
【図８】（ａ）環境温度に対する体温変化の関係、（ｂ）時間に対する睡眠深度の変化を概念的に示す図である。
【図９】実施形態２に係る脚側調和空気及び頭側調和空気の温度制御を示す温度特性図である。
【図１０】実施形態３に係る脚側調和空気及び頭側調和空気の温度制御を示す温度特性図である。
【図１１】実施形態４に係る脚側調和空気及び頭側調和空気の温度制御を示す温度特性図である。
【図１２】実施形態５に係る脚側調和空気及び頭側調和空気の温度制御を示す温度特性図ある。
【図１３】（ａ）睡眠室内の温度変化と（ｂ）直腸温の変化の関係を示す図である。
【符号の説明】
【０１２３】
20                睡眠カプセル本体
11                睡眠室（睡眠空間）
12                コントローラ（制御手段）
30F               頭側空調機（空調手段）
30R               脚側空調機（空調手段）
100               空調対象者
【図１】
2006258314.tif 000003
【図２】
2006258314.tif 000004
【図３】
2006258314.tif 000005
【図４】
2006258314.tif 000006
【図５】
2006258314.tif 000007
【図６】
2006258314.tif 000008
【図７】
2006258314.tif 000009
【図８】
2006258314.tif 000010
【図９】
2006258314.tif 000011
【図１０】
2006258314.tif 000012
【図１１】
2006258314.tif 000013
【図１２】
2006258314.tif 000014
【図１３】
2006258314.tif 000015